(57)【特許請求の範囲】
【請求項１】
コ字状のステープル針を用紙に打ち込まれてなる綴り用紙から、前記ステープル針の露出位置を特定し、綴り用紙の移動を拘束すべく前記綴り用紙を挟持する綴り用紙拘束工程と、
前記綴り用紙拘束工程で特定された前記ステープル針の両脚部に、前記ステープル針の中央本体部に直交して挿入起立フォーク突出片を挿入し、前記ステープル針の両脚部を起立させる脚部起立工程と、
前記脚部起立工程で前記ステープル針の両脚部を所定の状態に起立させ、前記綴り用紙に露出する前記ステープル針の中央本体部を、前記ステープル針の中央本体部と前記綴り用紙の面との距離を大きく離すように、前記綴り用紙と前記ステープル針との間に前記挿入起立フォーク突出片と並行移動する針抜き起立片を挿入する針抜き工程と、
前記綴り用紙拘束工程によって前記綴り用紙の移動を拘束した挟持を、その間の挟持間隔を大きくすることにより解放する綴り用紙拘束解除工程と
を具備することを特徴とするステープル針用リムーバ。
【請求項２】
前記綴り用紙拘束工程は、前記コ字状のステープル針の中央本体部または両脚部を嵌合凹部に挿入して移動を拘束し、前記ステープル針によって綴じられた綴り用紙を上面及び下面で挟持することを特徴とする請求項１に記載のステープル針用リムーバ。
【請求項３】
前記脚部起立工程は、前記挿入起立フォーク突出片の断面を前記ステープル針の脚部が前記ステープル針の中央本体部に対して直角に起立するようにし、前記挿入起立フォーク突出片の挿入によって、前記ステープル針の中央本体部から両脚部の自由端部の高さを高くするようにしたことを特徴とする請求項１または請求項２に記載のステープル針用リムーバ。
【請求項４】
前記針抜き工程は、前記針抜き起立片を前記綴り用紙と前記ステープル針の中央本体部との間に挿入することによって、前記針抜き起立片のテーパに従って、前記ステープル針の中央本体部と前記綴り用紙の面との距離を大きくすることを特徴とする請求項１乃至請求項３の何れか１つに記載のステープル針用リムーバ。
【発明の詳細な説明】
【技術分野】
【０００１】
本発明は、ステープル針の脚部を折り曲げて閉じた紙面からステープラ針を取り除くステープル針用リムーバに関するものである。
【背景技術】
【０００２】
従来のステープル針のリムーバには、ステープラの構造体の一部にステープラ針を除針する機能を取付けたもの、ステープラとは独立してステープラ針を除針する機能部品としたもの等がある。
ステープラの構造体の一部にステープラ針を除針する機能を取付けたものに、特許文献１がある。特許文献１のステープラによれば、後端部に舌片部を有したアームカバーを備え、舌片部はリムーバ部の上面に、綴り用紙に打ち込まれたステープルの線材としてのクラウン部を挿入可能なステープルの線径相当の隙間を有した天井面を有している。したがって、ステープル除針処理時、リムーバ部の上面と舌片部の天井面との間にクラウン部を積極的に上方から押さえ付け、かつ、挟んで左右の脚部を均等に引き抜くことができる。また、一方の側の脚部だけが抜けた場合であっても、リムーバ部の上面と舌片部の天井面との間でクラウン部を押え込むことができるので、反対側の残った脚部も簡単に引き抜くことができ、ステープル除針処理時の作業性を向上できる。
【０００３】
また、ステープラとは独立してステープラ針を除針する機能部品としてのリムーバは、特許文献２の医療用ステープルで開示されている。特許文献２の医療用ステープルは、クラウン部とその両端の弯曲部を介して下方に折れ曲がった針脚部とから構成され、ステープラによって上記クラウン部の中央部と上記弯曲部との間を折り曲げて針脚部を皮膚内に打ち込んで傷口を寄せるステープルにおいて、上記ステープラによって折り曲げられる両側折り曲げ部の下面部に第１のノッチを形成し、上記クラウン部の前記第１のノッチ間で、かつ、該両第１のノッチから均等に所定距離離間した上面部に第２のノッチを形成したことを特徴とするものである。
【０００４】
この特許文献２によれば、ステープラによって針脚部を皮膚に打ち込むときは、クラウン部の両側を押し下げることによりステープルは第１のノッチから略直角に折り曲げられ、両側の針脚部は均等に皮膚内に差し込まれ、良好な縫合状態が得られる。また、針脚部を取り外すときは、クラウン部の第２のノッチ部分と、第１のノッチと第２のノッチとの間を相対的に上下逆方向に移動させることによってステープルは第２のノッチから第１のノッチの折れ曲がり方向とは逆の方向に折れ曲がる。このように左右両側の折れ曲がりは均等に行なわれるので、両側の針脚部は皮膚から同じ状態で抜け出る。
【０００５】
綴り用紙に使用する事例では、特許文献３に記載の技術がある。特許文献３は対象物に綴じられたステープルを除去するリムーバであって、基台と、前記基台に枢着された操作ハンドルと、前記操作ハンドルの先端側に設けられ、前記対象物に綴じられたステープルのクラウン部と該対象物の間に差し込まれる差込片と、前記基台に設けられ、先端側から後端側に向けて高く形成されたスロープ部を有して、前記ステープルのクラウン部と前記対象物の間に差し込まれるスロープ部材とを備え、基台に枢着された操作ハンドルの先端側に設けられた差込片によりステープルを除去すると共に、スロープを有したスロープ部材によりステープルを除去するものである。
したがって、操作ハンドルの先端側に設けられた差込片を持ち上げて、多い枚数の用紙を綴じたステープルを抜くことができる。更に、スロープ部材をスライド移動させて、少ない枚数の用紙を綴じたステープルを抜くことができる。このように、１台のリムーバによって、多い枚数の用紙を綴じたステープルと少ない枚数の用紙を綴じたステープルの両方を精度良く除去できる。
【先行技術文献】
【特許文献】
【０００６】
【特許文献１】特開２００９−１２０９８
【特許文献２】特開２００６−２２３８４４
【特許文献３】特開２０１１−１１３２２
【発明の概要】
【発明が解決しようとする課題】
【０００７】
このように、特許文献１はその特許文献１の図１３及び図１４に描かれているように、ステープラ針をリムーバ部で持ち上げ、綴り用紙に打ち込まれたステープラ針を綴り用紙から抜き取るものである。しかし、このとき、人の感によって持ち上げているから、ステープラ針の綴り用紙からの抜き取りに個人差が生じ、綴り用紙を破いてしまう場合がある。特に、ステープラ針の先を折り曲げて綴り用紙に食い込ませているから、ステープラ針を綴り用紙から抜き取る際に綴り用紙を破いてしまうのが一般的である。
【０００８】
また、特許文献２では、人の皮膚が弾性体であることからステープラ針を皮膚に打ち込むとき、針脚部を取り外すときには、簡単な操作で行うことができるものである。しかし、綴り用紙にその技術を適用しようとしても、綴り用紙と人の皮膚との物性の違いにより、実用化することができない。
そして、特許文献３は、基台で綴り用紙を押えた状態でスロープ部材や差込片によってステープラ針の位置を変位させ、ステープラ針を綴り用紙から抜き取るものである。しかし、スロープ部材や差込片がステープラ針を捉える位置から離れていることから、ステープラ針を捉えてからスロープ部材や差込片の方向に移動させなければ、綴り用紙の針痕を見栄え良く処理できない。
【０００９】
そこで、本発明は、綴り用紙を綴じたステープラ針を抜き取っても、その綴り用紙の針痕が残らないように見栄え良く抜き取りことができるステープル針用リムーバの提供を課題とするものである。
【課題を解決するための手段】
【００１０】
請求項１の発明にかかるステープル針用リムーバは、ステープル針を用紙に打ち込まれてなる綴り用紙の片面に露出した前記ステープル針の位置を拘束する綴り用紙拘束工程と、前記綴り用紙拘束工程で拘束された前記綴り用紙と前記ステープル針の両脚部の間に、前記ステープル針に直交する方向に挿入起立フォーク突出片を挿入し、前記ステープル針の両脚部側を自由端として起立させる脚部起立工程と、前記脚部起立工程で前記綴り用紙に露出する前記ステープル針の中央本体部を、前記ステープル針と前記綴り用紙の面との距離を大きくするように、前記綴り用紙と前記ステープル針の中央本体部との間に針抜き起立片を挿入する針抜き工程と、前記綴り用紙の挟持を解除する綴り用紙拘束解除工程とを具備するものである。
【００１１】
ここで、上記綴り用紙拘束工程は、コ字状のステープル針を用紙に打ち込まれてなる綴り用紙の片面に露出した前記ステープル針の位置を拘束すべく前記綴り用紙を挟持するものである。前記ステープル針は中央本体部側及び／または両脚部側の何れ側を拘束してもよい。
また、上記脚部起立工程は、前記ステープル針の両脚部に、前記ステープル針に直交する方向に挿入起立フォーク突出片を挿入し、前記ステープル針の両脚部を自由端として起立させるものである。なお、前記ステープル針の両脚部を起立させる自由端の開口は広いのが望ましいが、必ずしも最大になることを必要とするものではない。前記ステープル針の両脚部を所定の状態に起立させる途中であっても、または起立させた後であってもよい。勿論、前記ステープル針の両脚部が中央本体部に対して直角に位置することが最も望ましいが、綴り用紙の柔軟性があるので、前記ステープル針の自由端の開きは大きい値に限定される必要性はない。
【００１２】
そして、上記脚部起立工程は、前記挿入起立フォーク突出片の断面を前記ステープル針の両脚部が前記ステープル針の中央本体部に対してできるだけ直角に起立するようにし、前記挿入起立フォーク突出片の挿入によって、前記ステープル針の中央本体部から両脚部の自由端部の高さを高くするように挿入するものである。
更に、上記綴り用紙拘束解除工程は、前記綴り用紙を上面及び下面から挟持しているのを解除するものであればよい。勿論、前記ステープル針が前記綴り用紙から離脱させてもよいし、離脱直前に停止し、前記ステープル針を手で取り除いてもよい。
更にまた、上記綴り用紙拘束解除工程は、前記ステープル針及び前記綴り用紙の拘束を解除するものであればよい。
【００１３】
請求項２の発明にかかるステープル針用リムーバの前記綴り用紙拘束工程は、コ字状のステープル針を用紙に打ち込まれてなる綴り用紙に露出した前記ステープル針の位置を特定するものである。
ここで、上記綴り用紙の上面及び下面からの挟持は、前記ステープル針を嵌合凹部に挿入し、位置を拘束した後、エラストマー、合成ゴム、スプリング等の弾性に富む材料が望ましいが、基本的には、コ字状のステープル針によって綴じられた綴り用紙を上面及び下面から挟持して滑りが少ない状態で挟持するものである。
【００１４】
請求項３の発明にかかるステープル針用リムーバの前記脚部起立工程は、挿入起立フォーク突出片の断面を前記ステープル針の両脚部が中央本体部に対して直角になるようにし、かつ、挿入起立フォーク突出片の挿入に伴って高さが高くなるようにしたものである。
ここで、上記脚部起立工程で使用する挿入起立フォーク突出片の断面は、前記ステープル針の両脚部が形成する隙間が、中央本体部に対して直角に挿入されるようにし、かつ、挿入起立フォーク突出片の挿入に伴って脚部の自由端の高さが高くなるようにするのが望ましい。しかし、挿入起立フォーク突出片の断面は、挿入初期には、脚部の隙間の形状が断面三角形であるので、当該断面形状が望ましいので、当該断面三角形から徐々に前記ステープル針の両脚部が中央本体部に対して直角になるようにすることもできる。
【００１５】
請求項４の発明にかかるステープル針用リムーバの前記針抜き工程は、前記針抜き起立片を前記綴り用紙と前記ステープル針の中央本体部との間に挿入することによって、前記針抜き起立片のテーパに従って、前記ステープル針の中央本体部と前記綴り用紙の面との距離を大きく離脱させるものである。
ここで、上記針抜き工程は、前記綴り用紙と前記ステープル針の中央本体部との間に前記針抜き起立片を挿入することによって、前記針抜き起立片のテーパに従って、前記ステープル針の中央本体部と前記綴り用紙の面との距離を大きくするものであればよい。このとき、前記ステープル針が前記綴り用紙から離脱させてもよいし、離脱直前に停止し、前記ステープル針を手で取り除いてもよいが、ここでは、前記ステープル針が前記綴り用紙から離脱させることを特定するものである。
【発明の効果】
【００１６】
請求項１のステープル針用リムーバは、ステープル針を用紙に打ち込まれてなる綴り用紙に露出した前記ステープル針の位置を特定し、前記綴り用紙の挟持により前記ステープル針の位置を特定する綴り用紙拘束工程と、前記綴り用紙拘束工程で特定された前記ステープル針の両脚部に、前記ステープル針の中央本体部に直交して挿入起立フォーク突出片を挿入し、前記ステープル針の両脚部を起立させる脚部起立工程と、前記綴り用紙に露出する前記ステープル針の両脚部を、前記ステープル針の中央本体部と前記綴り用紙の面との距離を大きくするように、前記綴り用紙と前記ステープル針との間に針抜き起立片を挿入する針抜き工程と、前記綴り用紙の拘束を解除する綴り用紙拘束解除工程を具備するものである。
【００１７】
この請求項１の発明のステープル針用リムーバは、コ字状のステープル針を用紙に打ち込まれてなる綴り用紙から露出した前記ステープル針を特定し、挟持し、挟持された前記ステープル針の折曲位置から端部位置の間の両脚部に、挿入起立フォーク突出片の先端から挿入し、前記ステープル針の両脚部を自由端として起立させ、前記ステープル針の両脚部を所定の状態に起立させ、前記綴り用紙に露出する前記ステープル針の折り曲げられた両脚部が挿入起立フォーク突出片を把持した状態で、前記ステープル針の中央本体部側を、前記ステープル針の中央本体部と前記綴り用紙の面との距離を大きくするように、前記綴り用紙と前記ステープル針との間に針抜き起立片を挿入し、前記ステープル針及び前記綴り用紙の拘束を解除するものである。
【００１８】
したがって、コ字状のステープル針を用紙に打ち込まれてなる綴り用紙から露出したステープル針を拘束するものであるから、前記ステープル針の中央本体部が１０ｍｍ弱、両脚部が５ｍｍ弱のものであっても、正確に前記ステープル針の両脚部の隙間に挿入起立フォーク突出片の先端を挿入でき、前記綴り用紙を傷めることがない。
また、拘束された前記ステープル針の両脚部の隙間に挿入起立フォーク突出片を先端から挿入し、前記ステープル針の両脚部の折曲位置を中心にその端部を自由端として起立させるものであるから、前記ステープル針の両脚部に自由端部を有するから、僅かな外力で両脚部を変位させることができる。
【００１９】
そして、前記ステープル針の両脚部を所定の状態に起立させた状態で、前記綴り用紙と前記ステープル針の中央本体部との間の起立力を解くものであるから、前記ステープル針の両脚部を挿入起立フォーク突出片がその自由端を開いているから、前記綴り用紙及び前記ステープル針の中央本体部との間に外力を加えると前記綴り用紙が移動するゆとりがでてくるので、そこに針抜き起立片を挿入しても、前記綴り用紙を傷めることがない。また、一方を前記ステープル針の脚部を所定の状態に起立させ、挿入起立フォーク突出片がその自由端を開いているから、同時に、前記綴り用紙と前記ステープル針との間に針抜き起立片を挿入すると、挿入起立フォーク突出片と針抜き起立片によって前記ステープル針が保持されるから、前記綴り用紙に外力が加わらない状態で前記ステープル針を浮かせることができる。勿論、前記ステープル針を除去することもできる。
したがって、前記綴り用紙と前記ステープル針の中央本体部との距離を針抜き起立片によって大きくすれば、前記ステープル針及び前記綴り用紙の挟持を解除することができ、自在に取り出すことができる。
【００２０】
請求項２のステープル針用リムーバの前記綴り用紙拘束工程は、綴り用紙を綴じたコ字状のステープル針の中央本体部を嵌合させることにより、コ字状のステープル針を特定するものであるから、請求項１に記載の効果に加えて、最初に捉え難いコ字状のステープル針を用紙に打ち込まれているステープル針の両脚部に挿入起立フォーク突出片を挿入するものであるから、正確にステープル針の両脚部を切り起こすことができる。
【００２１】
請求項３のステープル針用リムーバの前記脚部起立工程は、並行する挿入起立フォーク突出片の断面を前記ステープル針の両脚部が直角に起立するようにし、かつ、挿入起立フォーク突出片がステープル針の折曲位置から端部位置の間の両脚部に挿入されることにより、前記挿入起立フォーク突出片の断面の高さが高くなるようにしたものであるから、請求項１または請求項２に記載の効果に加えて、簡単な構造で、前記ステープル針の両脚部の自由端を広げることができる。
【００２２】
請求項４のステープル針用リムーバの前記針抜き工程は、前記針抜き起立片を前記綴り用紙と前記ステープル針の中央本体部との間に挿入することによって、前記針抜き起立片のテーパに従って、前記ステープル針の中央本体部と前記綴り用紙の面との距離を大きくするものであるから、請求項１乃至請求項３の何れか１つに記載の効果に加えて、前記綴り用紙と前記ステープル針の中央本体部との間に前記針抜き起立片を挿入することによって、前記針抜き起立片のテーパに従って、前記ステープル針と前記綴り用紙の面との距離を大きく離すことにより、他の動きとの間に厳格なタイミングをとる必要がないから、制御が簡単であり、素人にも使用できる。
【図面の簡単な説明】
【００２３】
【図１】図１は公知の綴り用紙をステープル針で綴った斜視図である。
【図２】図２は公知の綴り用紙をステープル針において、（ａ）は綴った綴り用紙を脚部側から見た要部断面図、（ｂ）は中央本体部側から見た要部断面図である。
【図３】図３は本発明の実施の形態１のステープル針用リムーバにおいて、ステープル針で綴った綴り用紙から脚部を起こす原理図で、（ａ）はステープル針で綴った状態を上にした断面図、（ｂ）はステープル針の脚部を起こした状態を下にする断面図である。
【図４】図４は本発明の実施の形態１のステープル針用リムーバにおいて、ステープル針で綴った綴り用紙から脚部を起こす原理図で、（ａ）はステープル針で綴った状態の斜視図、（ｂ）はステープル針の脚部を起こしつつある状態の斜視図である。
【図５】図５は本発明の実施の形態１のステープル針用リムーバにおけるステープル針で綴った綴り用紙から脚部を除く動作説明図で、（ａ）はステープル針の脚部の隙間を捉えた状態の断面図、（ｂ）はステープル針の脚部の隙間を起立させつつある状態の断面図、（ｃ）はステープル針の脚部の隙間を起立させ、針抜き起立片を挿入した初期の断面図、（ｄ）は針抜き起立片を挿入してステープル針を外している断面図、（ｅ）は針抜き起立片を挿入してステープル針を外す直前の断面図である。
【図６】図６は本発明の実施の形態１のステープル針用リムーバにおける挿入起立フォークと針抜き起立片の動作に入るタイミングを示すタイミングチャートである。
【図７】図７は本発明の実施の形態１のステープル針用リムーバの初期位置状態で、(ａ)は上側ハウジングの下面図、(ｂ)は下側ハウジングの上面図である。
【図８】図８は本発明の実施の形態１のステープル針用リムーバで、（ａ）は初期位置状態の挿入起立フォークと針抜き起立片の位置関係を説明する断面図、（ｂ）は上側ハウジングと下側ハウジングとの接続を説明する図９の切断線Ａ−Ａによる断面図である。
【図９】図９は本発明の実施の形態１のステープル針用リムーバにおける上側ハウジングの下面図と下側ハウジングの上面図である。
【図１０】図１０は本発明の実施の形態１のステープル針用リムーバにおける挿入起立フォークの動作終了状態で、(ａ)は上側ハウジングの下面図、(ｂ)は下側ハウジングの上面図である。
【図１１】図１１は本発明の実施の形態１のステープル針用リムーバにおける挿入起立フォークの動作終了状態の挿入起立フォークと針抜き起立片の位置関係を説明する断面図である。
【図１２】図１２は本発明の実施の形態１のステープル針用リムーバにおける針抜き状態で、(ａ)は上側ハウジングの下面図、(ｂ)は下側ハウジングの上面図である。
【図１３】図１３は本発明の実施の形態１のステープル針用リムーバにおける針抜き状態の挿入起立フォークと針抜き起立片の位置関係を説明する断面図である。
【図１４】図１４は本発明の実施の形態２のステープル針用リムーバの一軸支持による開閉機構を示す斜視図である。
【発明を実施するための形態】
【００２４】
以下、本発明の実施の形態について、図面に基づいて説明する。なお、実施の形態において、図示の同一記号及び同一符号は、同一または相当する機能部分であるから、ここではその重複する説明を省略する。
【００２５】
［実施の形態１］
図1及び図２に示すように、コ字状のステープル針１は複数枚の用紙に打ち込まれて綴り用紙２から脚部１ａ及び中央本体部１ｂが露出している。ここで、ステープル針１の脚部１ａとは、コ字状のステープル針１の直角に曲げた部分から自由端までをいい、また、ステープル針１の中央本体部１ｂとは、両端がコ字状のステープル針１の直角に曲げた部分の間の直線部分を意味する。したがって、１個のコ字状のステープル針１は、脚部１ａと中央本体部１ｂから成り立っている。
【００２６】
コ字状のステープル針１は、通常、綴り用紙２を綴じた状態で、脚部１ａはその自由端を綴り用紙２側に曲げ、また、綴り用紙２の反対面には、中央本体部１ｂが位置しているから、自由端の曲げ込みは綴り用紙２の当接した位置で停止しているのが普通である。正確には、綴り用紙２の弾性により、沈んだ位置で停止している。稀に、綴り用紙２の表面の用紙に傷をつける場合があるものの、通常は綴り用紙２の弾性により、沈んだ位置で停止している。
【００２７】
コ字状のステープル針１の脚部１ａは、綴り用紙２を綴じた状態では、その自由端が綴り用紙２にのめり込むような方向性で曲げられるため、コ字状のステープル針１の直角に曲げた部分から自由端までの両脚部１ａには、必ず、隙間１ｃができる。この隙間１ｃは中央本体部１ｂが１０ｍｍ程度の長さのものでは、高さが０．５ｍｍ以上であり、また、その横幅も２．５ｍｍ以上である。勿論、一般には、中央本体部１ｂが１０ｍｍ程度の長さであり、コ字状のステープル針１が小さい規格であるから、それ以上のサイズのステープル針１であれば、同様以上の寸法サイズとなる。
【００２８】
図３はコ字状のステープル針１を用紙に打ち込まれてなる綴り用紙２から露出したステープル針１の位置を特定するもので、下側ハウジング１００にステープル針１の中央本体部１ｂが嵌合する嵌合凹部１０２が端部に形成されている。本実施例では、ステープル針１の中央本体部１ｂが嵌る１個の嵌合凹部１０２を配設しているが、本発明を実施する場合には、嵌合凹部１０２に代えて直線位置の位置決めとしてもよいし、また、複数の嵌合凹部１０２を設ける場合には、挿入起立フォーク３０に近い方を大型のステープル針用とし、遠い方を小型のステープル針用とするのが好ましい。
【００２９】
即ち、上側ハウジング２００に設けられたステープル針１の中央本体部１ｂの嵌合凹部１０２は、ステープル針１の規格毎に変更できるようにしてもよいし、或いは、ステープル針１の中央本体部１ｂの嵌合凹部１０２を複数位置決めできるように平行に形成してもよい。ここでは、煩雑になるので、単一のステープル針１の規格に合わせる事例として説明する。また、本実施の形態のステープル針用リムーバでは、ステープル針１の中央本体部１ｂの入る嵌合凹部１０２を設けた事例で説明するが、本発明を実施する場合、ステープル針１の両脚部１ａ側が嵌合する嵌合凹部１０２としてもよい。
【００３０】
なお、図７及び図１０、図１２の（ａ）と（ｂ）は互いに対向するもので、図９に示すように、上側ハウジング２００に設けられたカバー６０が下側ハウジング１００に設けられたカバー７０に対向する。
即ち、図９に示すように、溝１０５は下側ハウジング１００に設けられたもので、溝２０５は上側ハウジング２００に設けられたものであり、上側ハウジング２００に設けられたカバー６０と、下側ハウジング１００に設けられたカバー７０は互いに相向き合っている。
上側ハウジング２００の上面に形成された電気的なスイッチＳＷは、モータ３００を自己保持させるスイッチであり、ロックスイッチＬＯは、下側ハウジング１００と上側ハウジング２００との間の間隔を開閉できないようにする図示しないロック機構を動作させるものである。
【００３１】
ステープル針１の中央本体部１ｂが嵌合する嵌合凹部１０２に、ステープル針１の中央本体部１ｂが嵌ると、綴り用紙２は下側ハウジング１００と上側ハウジング２００との間での移動が拘束される。即ち、下側ハウジング１００の上面と上側ハウジング２００の下面で、綴り用紙２を挟み、その綴り用紙２の移動及び前記ステープル針の中央本体部１ｂの移動を拘束する。厳密には、ステープル針１の隙間１ｃに挿入起立フォーク突出片３１ａ，３１ｂが挿入されて、拘束位置が決まる。
【００３２】
特に、この綴り用紙２の拘束は、下側ハウジング１００の上面及び上側ハウジング２００の下面を合成ゴム、合成樹脂、エラストマー等で形成し、綴り用紙２の移動し難い環境を形成するのが望ましい。勿論、金属表面を鑢状の凹凸表面とし、それによって綴り用紙２を挟持してもよい。綴り用紙２を挟持するのは、露出する挿入起立フォーク３０と針抜き起立片４０の両側である。図９で説明すると、針抜き起立片４０の両側の表面７１及び表面７２が下側ハウジング１００の上面側である。同様に、図示しない上側ハウジング２００の対向表面も該当する。
【００３３】
この綴り用紙拘束工程は、綴り用紙２とステープル針１の脚部１ａとの間に挿入起立フォーク３０の挿入起立フォーク突出片３１ａ，３１ｂの先端を隙間１ｃに挿入するには、図８（ｂ）に示すように、まず、上側ハウジング２００をスプリング９１の弾性に抗して上昇させて、ロックスイッチＬＯでその間隔を停止させ、上側ハウジング２００と下側ハウジング１００との間に所定の間隔を形成する。ロックスイッチＬＯを解除とすると、綴り用紙２は下側ハウジング１００と上側ハウジング２００との間で挟持され、軸支されている４本のシャフト９０及びスプリング９１によって弾性結合し、綴り用紙２が自在に動け難くなる。なお、ロックスイッチＬＯは４本のシャフト９０の内の２本を利用し、それらのシャフトに接触し、下側ハウジング１００と上側ハウジング２００との間が変化しないように機械的スイッチブレーキをかけるものである。
【００３４】
この綴り用紙２を挟持する工程は、コ字状のステープル針１を用紙に打ち込まれてなる綴り用紙２から、ステープル針１の露出位置を特定し、ステープル針１を位置決めして、その状態を維持すべく綴り用紙２を挟持する綴り用紙拘束工程となる。この綴り用紙拘束工程は、綴り用紙２に打ち込まれているコ字状のステープル針１の脚部１ａ側を捉えてもよいし、中央本体部１ｂを捉えてもよい。しかし、下側ハウジング１００側に使用済みのステープル針１が落下するようにすると、ステープル針１の除去を連続して行うことができるから、下側ハウジング１００側に使用済みのステープル針１が落下するようにすると、設計自由度が高くなり有利である。
なお、図８及び図９、図１１においても、下側ハウジング１００の上部に溝１０５が形成されているから、そこから使用済のステープル針１を取り出すことができるし、図示しない永久磁石を配設し、使用済のステープル針１を集めることもできる。
【００３５】
特定されたステープル針１の脚部１ａの隙間１ｃに対して、ステープル針１に交差する方向に両側にＶ字状、全体としてフォークをイメージさせるＹ字状に挿入起立フォーク３０を形成した挿入起立フォーク突出片３１ａ，３１ｂの突出する先端を隙間１ｃに挿入し、ステープル針１の両脚部１ａの先端を自由端として脚部１ａを起立させる。
この工程は、綴り用紙拘束工程で特定されたステープル針１の折曲位置から端部位置の間の脚部１ａで形成された隙間１ｃに、ステープル針１に交差する方向に突出する挿入起立フォーク突出片３１ａ，３１ｂを挿入し、ステープル針１の両脚部１ａの先端を自由端として起立させる脚部起立工程となる。
【００３６】
即ち、挿入起立フォーク３０は、図６に示すように、挿入起立フォーク突出片３１ａ，３１ｂの先端の厚みが薄く、先端からの距離に応じてその厚みを増す断面形状を有している。綴り用紙２の紙面からの最大厚みが３〜１０ｍｍ程度に設定することができる。挿入起立フォーク３０の綴り用紙２の上面側は、平坦な面となっているが、凹凸な面として後述する針抜き起立片４０を挿入し易くすることもできる。挿入起立フォーク突出片３１ａ，３１ｂの先端は、０．１〜０．５Ｒの面取りにより、綴り用紙２の表面を傷めないように鏡面仕上げ等の仕上げ加工をすることができる。
なお、挿入起立フォーク３０の長さ方向に直角な幅も、先端からの距離に応じてその幅を増す断面形状を有している。
【００３７】
挿入起立フォーク３０は、図８、図１１、図１３に示すように、連結バー３３を介してローラ支持バー３５が接続されており、端部に配設されているローラ３６は、上側ハウジング２００内に設けた嵌合凹部２０１に収容したカム２０４の周囲に当接している。連結バー３３及びローラ支持バー３５の先端に配設したローラ３６が、カム２０４の周囲に弾性力を付与するスプリング３７をＥ型スリップリング３４と固定支持片３８の間に配設している。即ち、Ｅ型スリップリング３４が膨張することにより、連結バー３３及びローラ支持バー３５がローラ３６をカム２０４の周囲に弾接させている。
【００３８】
したがって、カム２０４の回転により、ローラ３６がその外周軌道を転動する。それにより、連結バー３３及びローラ支持バー３５が往復運動し、カム２０４の大径と小径の差分Ｌだけ往復動する。カム２０４の小径位置のとき、ローラ３６の外周軌道は、略Ｖ字状の挿入起立フォーク突出片３１ａ，３１ｂを最も右方向に移動させる。また、カム２０４の大径位置のとき、ローラ３６の外周軌道は、挿入起立フォーク突出片３１ａ，３１ｂを最も右方向に移動させる。結果的に、挿入起立フォーク突出片３１ａ，３１ｂはＬだけ移動する。
【００３９】
また、針抜き起立片４０は、挿入起立フォーク３０と同様、図６に示すように、先端の厚みが薄く、先端からの距離に応じてその厚みを増す断面形状を有している。綴り用紙２の紙面からの最大厚みが４〜１０ｍｍ程度になっている。針抜き起立片４０の綴り用紙２の下面側は、平坦になっている。
針抜き起立片４０の先端は、挿入起立フォーク３０が開脚するステープル針１の脚部１ｂの位置、即ち、カム２０４が１８０°回転したとき、綴り用紙２とステープル針１の中央本体部１ｂとの間に針抜き起立片先端４１が挿入開始となる。
【００４０】
下側ハウジング１００の上面は、上側ハウジング２００の下面に対向しており、図９に示す構造となっている。
この針抜き起立片４０の針抜き起立片先端４１は、綴り用紙２とステープル針１の中央本体部１ｂとの間に挿入されるものであるから、挿入起立フォーク３０のように略Ｖ字状に２つの挿入起立フォーク突出片３１ａ，３１ｂを形成する必要がなく、単に楔状になっている。また、針抜き起立片４０は円弧を呈しており、中央から挿入しやすくなっている。
なお、針抜き起立片４０の最終厚みによって綴り用紙２からステープル針１を抜き去ったり、抜き去る直前で停止させることができる。抜き去るか、抜き去る直前で停止させるかには一長一短があるので、利用者によって使い方を選択することができる。
【００４１】
また、針抜き起立片４０は、連結バー４３を介してローラ支持バー４５が接続されており、端部に配設されているローラ４６は、下側ハウジング１００内に設けた嵌合孔１０１に収容したカム１０４の周囲に当接している。連結バー４３及びローラ支持バー４５の先端に配設したローラ４６が、カム１０４の周囲に弾性力を付与するスプリング４７をＥ型スリップリング４４と固定支持片４８の間に配設している。
即ち、Ｅ型スリップリング５４が膨張することにより、連結バー４３及びローラ支持バー４５がローラ４６をカム１０４の周囲に弾接させている。
【００４２】
したがって、カム１０４の回転により、ローラ４６がその外周軌道を転動する。それにより、連結バー４３及びローラ支持バー４５が往復運動し、カム１０４の大径と小径の差分Ｍだけ往復動する。カム１０４の小径位置のとき、ローラ４６の外周軌道は、楔状の針抜き起立片４０を最も右方向に移動させる。また、カム１０４の大径位置のとき、ローラ４６の外周軌道は、針抜き起立片４０を最も左方向に移動させる。結果的に、針抜き起立片４０はＭだけ移動する。
モータ３００の出力軸２０３は、断面が正６角形となっていて、その長さ方向にカム１０４及びカム２０４の中心軸孔が挿通自在となっている。しかし、カム１０４及びカム２０４の回転は、モータ３００の出力軸２０３から直接回転力を付与されて回転することになる。
【００４３】
綴り用紙２及びステープル針１との間の起立に要する力を解いた状態で、綴り用紙２に露出するステープル針１の折り曲げられた両脚部１ａの間の中央本体部１ｂを、ステープル針１と綴り用紙２の面との距離を大きくするように、綴り用紙２とステープル針１との間に針抜き起立片４０を挿入する工程を、針抜き工程とする。
【００４４】
即ち、綴り用紙２及びステープル針１との間の起立に要する力を解いた状態で、綴り用紙２に露出するステープル針１の中央本体部１ｂに対して、ステープル針１と綴り用紙２の面との距離を大きく離すように、針抜き起立片先端４１を挿入し、綴り用紙２とステープル針１との間を離すものである。
このとき、離間するステープル針１が自由落下する程度に話すことができるし、ステープル針１の一部が綴り用紙２に引っ掛かった状態とすることもできる。
【００４５】
そして、綴り用紙２の挟持力を解除し、ステープル針１及びそれまで綴られていた綴り用紙２の拘束を解除するものである。綴り用紙２の挟持力を解除し、ステープル針１及びそれまで綴られていた綴り用紙２の拘束を解除する工程を、針抜き工程とする。
この針抜き工程では、使用済のステープル針１を一時的に収容すべく、下側ハウジング１００の上面に窪み部分を形成してもよいし、そこに永久磁石または電磁石を設置し、そこに使用済のステープル針１を収容してもよい。しかし、ステープル針１が綴り用紙２から離脱直前まで処理し、マニュアルで取り外す方法が効率的にも仕上げから見ても好適である。
【００４６】
図８（ｂ）に示すように、４本のスプリング９１によって弾性結合しているシャフト９０は、下側ハウジング１００と上側ハウジング２００とが弾性移動し、その平行移動した距離に綴り用紙２の厚みが収容されるので、下側ハウジング１００と上側ハウジング２００との間が、スプリング９１の弾性力によって接合するときには、綴り用紙２の厚みが両者間に配置され、ステープル針１が綴った綴り用紙２の厚みを計算に入れる必要がなくなる。
【００４７】
したがって、ステープル針１が綴った綴り用紙２は、ステープル針１の中央本体部１ｂが刻設された嵌合凹部１０２に嵌合し、綴り用紙２の位置決めを行う。
なお、下側ハウジング１００と上側ハウジング２００との間にはスプリング９１が配設されているので、両者は互いに近づく方向に弾性力が働いている。そのため、図示しないロックスイッチＬＯによって、その距離を保持したり、解除したりする機能を持たせている。
【００４８】
この状態で図示しない自己保持用のスイッチＳＷの操作により、モータ３００の電源が入り、上側ハウジング２００のカム２０４及び下側ハウジング１００のカム１０４が回転する。図７及び図８に示すように、初期状態では、ローラ３６は挿入起立フォーク突出片３１ａ，３１ｂ及びローラ４６は針抜き起立片４０を最も図の左に後退した状態としている。通常、図示しない全体制御するカムを有しており、そのカムで位置検出するリミットスイッチによってモータ３００がオフになって自己保持が解かれた位置であり、逆に、モータ３００の電源を入れるスイッチＳＷにより自己保持され、ステープル針用リムーバの一連の動作に入る。自己保持用のスイッチＳＷは、図示しない制御用のカムによって自己保持開始から自己保持終了までをモータ３００に電力を供給するものである。
なお、この実施の形態の電源は、商用電源でもよいし、乾電池または常に太陽電池で充電する二次電池としてもよい。
【００４９】
まず、下側ハウジング１００と上側ハウジング２００で綴り用紙２を挟持し、ローラ３６は挿入起立フォーク突出片３１ａ，３１ｂがステープル針１の隙間１ｃに挿入された位置に設定される。これがコ字状のステープル針１を用紙に打ち込まれてなる綴り用紙２から、ステープル針１の露出位置を特定し、綴り用紙２を挟持する綴り用紙拘束工程に相当する。
ここで、カム２０４の回転が開始されると、挿入起立フォーク突出片３１ａ，３１ｂがステープル針１の両脚部の自由端側の開口を開始する。これが、綴り用紙拘束工程で特定されたステープル針１の脚部１ａに、ステープル針１に直交に交差する方向に挿入起立フォーク突出片３１ａ，３１ｂを挿入し、ステープル針１の両脚部１ａの先端を自由端として起立させる脚部起立工程となる。
そして、上側ハウジング２００のカム２０４が１８０度回転したときに、カム２０４の大径と小径の差分Ｌだけ往復動し、挿入起立フォーク３０を最も右方向に移動させる。この最大の左方向への移動距離は、カム２０４が更に３０度回転するまで維持される。そして、３０度回転したとき、急速に挿入起立フォーク３０が後退を開始する。
【００５０】
モータ３００が自己保持し、上側ハウジング２００のカム２０４が１８０度回転したときに、ローラ３６は図１０及び図１１に示すように、挿入起立フォーク３０を最も右方向に移動させるが、このときまで、下側ハウジング１００のカム１０４はローラ４６を図示の右方向に移動させないで、針抜き起立片４０は停止状態である。
【００５１】
しかし、上側ハウジング２００のカム２０４が１８０度回転したとき、下側ハウジング１００のカム１０４はローラ４６を図示の右方向に移動させ、更に、９０度回転したとき、針抜き起立片４０を最も右方向に移動させ、図１２及び図１３に示すように、その最大の右方向への移動距離は、カム１０４が更に３０度回転するまで維持され、３０度回転したとき、急激に挿入起立フォーク４０が後退する。
【００５２】
この間、図６に示すように、上側ハウジング２００のカム２０４が１８０度回転し、挿入起立フォーク３０が最大に進行しているとき、進行する上側ハウジング２００のカム２０４がローラ３６を図示の右方向に移動を開始するので、図５（ｂ）の状態から図５（ｃ）の状態となる。図５（ｂ）の状態ではステープル針１の隙間１ｃが挿入起立フォーク突出片３１ａ，３１ｂと係合していないから、針抜き起立片４０の先端が綴り用紙２とステープル針１の中央本体部１ｂとの間に挿入され易くなり、挿入された状態が図５（ｃ）のようになる。このときの状態が図１０及び図１１から図１２及び図１３である。
【００５３】
このとき、図５（ｂ）の状態では、両脚部１ａが挿入起立フォーク突出片３１ａ，３１ｂと係合していないが、挿入起立フォーク突出片３１ａ，３１ｂを後退させることにより、綴り用紙２を綴るステープル針１の脚部１ａと中央本体部１ｂとの間に余裕が生じるから、針抜き起立片４０の針抜き起立片先端４１が綴り用紙２とステープル針１の中央本体部１ｂとの間に挿入され易くなる。また、針抜き起立片４０の先端が綴り用紙２とステープル針１の中央本体部１ｂとの間に挿入されるとき、綴り用紙２側に余裕を持たせるように挿入起立フォーク３０の裏面に１〜３ｍｍの深さの凹部を形成してもよいし、ステープル針１の中央本体部１ｂの位置に突出する凸部を形成してもよい。何れも、挿入起立フォーク突出片３１ａ，３１ｂと、綴り用紙２を綴るステープル針１の脚部１ａと中央本体部１ｂとの間に余裕が生じるから、挿入され易くなる。
【００５４】
特に、本実施の形態では、挿入起立フォーク突出片３１ａ，３１ｂを後退させなくとも、挿入起立フォーク突出片３１ａ，３１ｂがステープル針１の両脚部１ａを保持しているから、この状態で、綴り用紙２とその綴り用紙２を綴るステープル針１の中央本体部１ｂとの間に針抜き起立片４０の針抜き起立片先端４１が挿入されると、ステープル針１は針抜き起立片４０の高さ変化に伴って抜け出ることになる。この間、綴り用紙２の紙面側には、ステープル針１を外す外力が加わらないので、ステープル針１の除去後のない紙面が得られる。
この工程は、綴り用紙２に露出するステープル針１の折り曲げられた両脚部１ａの間の中央本体部１ｂを、ステープル針１と綴り用紙２の面との距離を大きくするように、綴り用紙２とステープル針１との間に針抜き起立片４０を挿入する針抜き工程となる。そして、綴り用紙２の挟持を解除する工程は、綴り用紙拘束解除工程となる。
【００５５】
本実施の形態では、上側ハウジング２００のカム２０４が１８０度回転し、挿入起立フォーク３０が最大に進行しているときから、３０度の回動が挿入起立フォーク突出片３１ａ，３１ｂの停止状態であり、この間に、下側ハウジング１００のカム１０４が９０度回転する間に、針抜き起立片４０の針抜き起立片先端４１が綴り用紙２とステープル針１の中央本体部１ｂとの間に挿入されるものである。このとき、両者のタイミングを合わせるために３０度変化する時間のタイミング合わせをしているから、挿入起立フォーク３０と針抜き起立片４０のタイミングが必ず得られ、信頼性の高い針抜き工程となる。
【００５６】
なお、本実施の形態では、挿入起立フォーク突出片３１ａ，３１ｂと綴り用紙２を綴るステープル針１の脚部１ａとの間には、挿入起立フォーク突出片３１ａ，３１ｂがステープル針１の脚部１ａを操作しないから、綴り用紙２を綴るステープル針１の脚部１ａと中央本体部１ｂとの間には、綴り用紙２のストレスが排除され、また、ステープル針１の材質が柔らかいから、挿入起立フォーク３０を停止するのみで、挿入起立フォーク突出片３１ａ，３１ｂを後退させなくても、綴り用紙２を綴るステープル針１の脚部１ａと中央本体部１ｂとの間に余裕が生じる。勿論、ステープル針１の脚部１ａの開放する速度を遅くした場合も同様である。
【００５７】
［実施の形態２］
上記実施の形態１は、上側ハウジング２００と下側ハウジング１００とが並行移動する事例で説明したが、本発明を実施する場合には、一方で軸支し、回動自在とすることもできる。
図１４において、下側ハウジング１００と上側ハウジング２００の外径及び内部構造は基本的に実施の形態１と相違しない。下側ハウジング１００の図示の左側には、シャフト４００で軸支される回転軸が配設されていて、下側ハウジング１００と上側ハウジング２００とが回動自在になっている。
【００５８】
また、モータ３００の出力軸３０１は、その断面が正６角形になっていて、嵌合するカム２０４の軸孔と同じ正６角形になっている。また、嵌合するカム１０４の軸孔と同じ正６角形になっている。そして、下側ハウジング１００と上側ハウジング２００を開くとき、モータ３００の出力軸３０１は限られた範囲で直線運動するから、カム２０４の軸孔及びカム１０４の軸孔とが直線運動状態で嵌合する。勿論、この嵌合状態の際には、カム２０４の軸孔及びカム１０４の軸孔の遊びも大きく影響している。
また、両者間には位置決め機構として嵌合する位置をタイミング関係が狂わないように位置決めするのが望ましい。
なお、図１４に示すカム１０４の軸孔に配置されている回転軸３０２は、カム１０４の位置決めと、出力軸３０１の位置合わせ用として設定したもので、図示しない移動止めを有している。
【００５９】
そして、下側ハウジング１００と上側ハウジング２００とを開閉するときには、シャフト４００またはその軸受側に遊びを設けてもよいし、嵌合孔を長円としてもよい。この実施の形態においては、シャフト４００の反対側端部に永久磁石を配設し、綴り用紙拘束工程の拘束力を所定の値以上とするのが望ましい。
【００６０】
ここで、綴り用紙拘束工程で特定された前記ステープル針１の両脚部１ａに、ステープル針１の中央本体部１ｂに直交して挿入起立フォーク突出片３１ａ，３１ｂを挿入前記ステープル針１の両脚部１ａを起立させる工程は、脚部起立工程となる。また、脚部起立工程でステープル針１の両脚部１ａを所定の状態に起立させ、綴り用紙２に露出するステープル針１の中央本体部１ｂを、ステープル針１の中央本体部１ｂと綴り用紙２の面との距離を大きく離すように、綴り用紙２とステープル針１との間に挿入起立フォーク突出片３１ａ，３１ｂと並行移動する針抜き起立片４０の針抜き起立片先端４１を挿入する工程は、針抜き工程となる。そして、綴り用紙２の移動を拘束する挟持を解除する工程は、綴り用紙拘束解除工程となる。
【００６１】
上記実施の形態のステープル針用リムーバは、コ字状のステープル針１を用紙に打ち込まれてなる綴り用紙２から、ステープル針１の露出位置を特定し、綴り用紙２を挟持する綴り用紙拘束工程と、その綴り用紙拘束工程で特定されたステープル針１の脚部１ａに、ステープル針１に直交に交差する方向に挿入起立フォーク突出片３１ａ，３１ｂを挿入し、ステープル針１の両脚部１ａの先端を自由端として起立させる脚部起立工程と、綴り用紙２に露出するステープル針１の折り曲げられた両脚部１ａの間の中央本体部１ｂを、ステープル針１と綴り用紙２の面との距離を大きくするように、綴り用紙２とステープル針１との間に針抜き起立片４０を挿入する針抜き工程と、綴り用紙２の挟持を解除する綴り用紙拘束解除工程とを具備する。
【００６２】
上記綴り用紙拘束工程で特定されたステープル針１の脚部１ａに、ステープル針１に直交する方向に挿入起立フォーク突出片３１ａ，３１ｂを挿入し、ステープル針１の両脚部１ａの先端を自由端として起立させる脚部起立工程は、直接的には、ステープル針１の隙間１ｃに挿入起立フォーク突出片３１ａ，３１ｂを挿入し、綴り用紙２を挟持する綴り用紙拘束工程の位置決め及び脚部起立工程の脚部１ａの自由端の開口を拡張しているが、本発明を実施する場合には、綴り用紙２からステープル針１の露出位置を特定する綴り用紙２を挟持する綴り用紙拘束工程であり、その綴り用紙拘束工程で特定されたステープル針１の脚部１ａに、ステープル針１に直交に交差する方向に挿入起立フォーク突出片３１ａ，３１ｂを挿入し、ステープル針１の両脚部１ａの先端を自由端として起立させる脚部起立工程であればよい。
【００６３】
本実施の形態のステープル針用リムーバは、コ字状のステープル針１を用紙に打ち込まれてなる綴り用紙２から、ステープル針１の露出位置を特定し、綴り用紙２を挟持し、特定されたステープル針１の脚部１ａに、ステープル針１の中央本体部１ｂに直交する方向に突出する挿入起立フォーク突出片３１ａ，３１ｂを挿入し、ステープル針１の両脚部１ａの先端を自由端として起立させ、綴り用紙２に露出するステープル針１の折り曲げられた両脚部１ａの間の中央本体部１ｂを、ステープル針１と綴り用紙２の面との距離を大きくするように、綴り用紙２とステープル針１との間に針抜き起立片４０を挿入し、そして、綴り用紙２の挟持を解除するものである。
【００６４】
したがって、本発明の実施の形態のステープル針用リムーバは、コ字状のステープル針１を用紙に打ち込まれてなる綴り用紙２から露出したステープル針１を特定し、その綴り用紙２を挟持し、挟持されたステープル針１の折曲位置から端部位置の間の脚部１ａに、突出する挿入起立フォーク突出片３１ａ，３１ｂの先端をステープル針１の隙間１ｃに挿入し、ステープル針１の両脚部１ａ側を自由端として起立させ、ステープル針１の両脚部１ａを所定の状態に起立させた後、ステープル針１と綴り用紙２の面との距離を大きくするように、綴り用紙２とステープル針１との間に針抜き起立片４０を挿入し、ステープル針１及び綴り用紙２の拘束を解除するものである。
【００６５】
よって、コ字状のステープル針１を用紙に打ち込まれてなる綴り用紙２から露出したステープル針１を拘束するものであるから、ステープル針１の中央本体部１ｂが１０ｍｍ弱、脚部１ａが５ｍｍ弱のものであっても、正確にステープル針１の脚部１ａの隙間に突出する挿入起立フォーク突出片３１ａ，３１ｂをステープル針１の隙間１ｃに挿入でき、綴り用紙２を傷めることがない。
また、拘束されたステープル針１の脚部１ａに挿入起立フォーク突出片３１ａ，３１ｂをステープル針１の隙間１ｃに挿入し、ステープル針１の脚部１ａの折曲位置を中心にその端部を自由端として起立させるものであるから、ステープル針１の脚部１ａに自由端部を有するから、僅かな外力で脚部１ａを変位させることができる。
【００６６】
そして、ステープル針１の脚部１ａを所定の状態に起立させた状態で、綴り用紙２とステープル針１の中央本体部１ｂとの間を離すものであるから、ステープル針１の脚部１ａを挿入起立フォーク突出片３１ａ，３１ｂでその自由端を開いているから、綴り用紙２及びステープル針１の中央本体部１ｂとの間の起立させる力を解いた状態では、綴り用紙２及びステープル針１の中央本体部１ｂとの間に外力を加えると綴り用紙２が移動するゆとりがでてくるので、そこに針抜き起立片４０を挿入しても、綴り用紙２を傷めることがない。
【００６７】
また、一方をステープル針１の脚部１ａを所定の状態に起立させ、挿入起立フォーク突出片３１ａ，３１ｂの先端がその自由端を開いているから、同時に、綴り用紙２とステープル針１との間に針抜き起立片４０を挿入すると、挿入起立フォーク突出片３１ａ，３１ｂと針抜き起立片４０によってステープル針１が保持されるから、綴り用紙２に外力が加わらない状態でステープル針１を浮かせることができる。勿論、ステープル針１を除去することもできる。
故に、綴り用紙２とステープル針１の中中央本体部１ｂとの距離を針抜き起立片４０によって大きくすれば、ステープル針１及び綴り用紙２の挟持を解除することができ、ステープル針１と綴り用紙２とを自在に取り出すことができる。
【００６８】
本発明の実施の形態のステープル針用リムーバにおける上記綴り用紙拘束工程は、コ字状のステープル針１の中央本体部１ｂ側または両脚部１ａ側を嵌合凹部１０２に挿入して移動止めとし、ステープル針１によって綴じられた綴り用紙２を上面及び下面から挟持するものであるから、綴り用紙２を綴じたコ字状のステープル針１の中央本体部１ｂを嵌合させることにより、コ字状のステープル針１を拘束するものであるから、最初に捉え難いコ字状のステープル針１を用紙に打ち込まれているステープル針１の脚部１ａに挿入起立フォーク突出片３１ａ，３１ｂを挿入するものであるから、正確にステープル針１の両脚部１ａを切り起こすことができる。
【００６９】
本発明の実施の形態のステープル針用リムーバにおける上記脚部起立工程は、挿入起立フォーク３０の突出片３１ａ，３１ｂの先端の断面をステープル針１の両脚部１ａが中央本体部１ｂに対して直角に起立するようにし、挿入起立フォーク３０の突出片３１ａ，３１ｂの挿入によって、ステープル針１の中央本体部１ｂから両脚部１ａの自由端部の高さを高くするものであるから、簡単な構造で、ステープル針１の両脚部１ａの自由端を広げることができる。
【００７０】
本発明の実施の形態のステープル針用リムーバにおける上記針抜き工程は、針抜き起立片３０を綴り用紙２とステープル針１の中央本体部１ｂとの間に挿入することによって、針抜き起立片４０のテーパに従って、ステープル針１の中央本体部１ｂと綴り用紙２の面との距離を大きくするものであるから、綴り用紙２とステープル針１の中央本体部１ｂとの間に針抜き起立片４０を挿入することによって、針抜き起立片４０のテーパに従って、ステープル針１と綴り用紙２の面との距離を大きく離すことにより、他の動きとの間に厳格なタイミングをとる必要がないから、制御が簡単であり、素人にも使用できる。
【００７１】
本発明の実施の形態のステープル針用リムーバにおける上記綴り用紙拘束解除工程は、綴り用紙拘束工程で定めたステープル針１及び綴り用紙２の挟持を、その間の間隔を大きくすることにより解放するものであるから、綴り用紙拘束工程で定めたステープル針１の挟持を解除できればよい。
【産業上の利用可能性】
【００７２】
上記実施の形態のステープル針用リムーバは、モータで動作するように説明したが、本発明を実施する場合には、カム１０４，２０４を回転する回転体としてもよいし、また、カム１０４，２０４の代わりにレバーとすることもできる。
また、上記実施の形態は、上側ハウジング２００と下側ハウジング１００とが並行移動する事例で説明したが、本発明を実施する場合には、一方で軸支し、回動自在とすることもできる。
【００７３】
そして、上記実施の形態は、カム１０４，２０４の回転運動を往復運動に変換しているが、本発明を実施する場合には、突出片３１ａ，３１ｂを有する挿入起立フォーク３０と針抜き起立片４０とが対立して往復運動するものであれば如何なる機構を使用してもよいし、電気的なマグネット制御とすることもできる。
更に、上側ハウジング２００と下側ハウジング１００を鋏の取手として置き換えれば、把持することにより、挿入起立フォーク３０と針抜き起立片４０とを用いるだけで、簡単な構造のステープル針用リムーバが得られる。
【符号の説明】
【００７４】
１      ステープル針
１ａ    脚部
１ｂ    中央本体部
１ｃ    隙間
２      綴り用紙
３０    挿入起立フォーク
３１ａ，３１ｂ    挿入起立フォーク突出片
４０    針抜き起立片
３６，４６    ローラ
１００    下側ハウジング
１０２    嵌合凹部
１０４，２０４    カム
２００    上側ハウジング
３００    モータ
４００    シャフト
【要約】
【課題】綴り用紙を綴じたステープラ針を抜き取っても、その綴り用紙の針痕が残らないように見栄え良く抜き取りことができること。
【解決手段】ステープル針１を用紙に打ち込まれてなる綴り用紙２の片面に露出したステープル針１の位置を特定し、特定された綴り用紙２とステープル針１の脚部１ａの間に、ステープル針１の中央本体部１ｂに直交する方向に挿入起立フォーク３０を挿入し、ステープル針１の脚部１ａの端部側を自由端として起立させ、ステープル針１の端部側を所定の状態に起立させる途中、または起立させた後、綴り用紙２に露出するステープル針１の中央本体部１ｂ側を、ステープル針１と綴り用紙２の面との距離を大きくするように、綴り用紙２とステープル針１の中央本体部１ｂ側との間に針抜き起立片４０を挿入し、ステープル針１及び綴り用紙２の特定を解除するものである。
【選択図】図５【図１】
0005571264.tif 000002
【図２】
0005571264.tif 000003
【図３】
0005571264.tif 000004
【図４】
0005571264.tif 000005
【図５】
0005571264.tif 000006
【図６】
0005571264.tif 000007
【図７】
0005571264.tif 000008
【図８】
0005571264.tif 000009
【図９】
0005571264.tif 000010
【図１０】
0005571264.tif 000011
【図１１】
0005571264.tif 000012
【図１２】
0005571264.tif 000013
【図１３】
0005571264.tif 000014
【図１４】
0005571264.tif 000015